【事件の表示】
　特願２０１１−１７２７９６号「遊技機」拒絶査定不服審判事件〔平成２５年　２月２１日出願公開、特開２０１３−　３４６４２号〕について、次のとおり審決する。
【結　論】
　本件審判の請求は、成り立たない。
【理　由】
１　手続の経緯
　本願は、平成２３年８月８日の出願であって、平成２５年１０月３１日付けで拒絶理由を通知し、平成２６年１月１０日に意見書及び手続補正書が提出されたところ、同年７月２５日付けで拒絶査定がなされ、それに対して、同年１０月２２日に拒絶査定不服審判の請求がなされると同時に手続補正がなされたものである。
　　
２　本願発明
　平成２６年１０月２２日付けの手続補正書による補正は、補正前の請求項１を削除するものであるから、特許法第１７条の２第５項第１号に規定する請求項の削除を目的とするものであり、新規事項を追加するものではない。
　よって、この出願の請求項１、２に係る発明は、平成２６年１０月２２日付けの手続補正書により補正された特許請求の範囲の請求項１、２に記載されたとおりであるところ（平成２６年１月１０日付けの手続補正書の請求項２、３に相当）、その請求項１に係る発明（以下、「本願発明」という。）は、次のとおりのものと認める。 
「【請求項１】
　遊技機の筐体に設けられた主制御回路基板と、前記筐体に設けられ前記主制御回路基板からの信号が入力されるとともに必要な情報を遊技場のホールコンピュータに送信する外部集中端子板と、遊技機の前面扉に設けられ前記主制御回路基板からの信号が入力される副制御回路基板と、前記前面扉に設けられ各種信号を前記主制御回路基板に送信するドア中継基板と、を備えた遊技機において、
　前記主制御回路基板と前記副制御回路基板との間、前記主制御回路基板と前記外部集中端子板との間、前記副制御回路基板と前記ドア中継基板との間、前記主制御回路基板と前記ドア中継基板の間、及び前記外部集中端子板と前記ホールコンピュータとの間のいずれもを光ファイバーケーブルで接続し、
　前記外部集中端子板は、前記主制御回路基板から出力された光信号を前記外部集中端子板に入力するための光信号入力端子と、前記光信号入力端子を介して入力された光信号を電気信号に変換する光・電気信号変換器と、前記光・電気信号変換器によって変換された電気信号を光信号に変換する電気・光信号変換器と、前記電気・光信号変換器によって変換された光信号を前記外部集中端子板から前記ホールコンピュータに出力するための光信号出力端子とを備えたことを特徴とする遊技機。」
　
３　刊行物 
（１）原査定の拒絶の理由に引用された特開２０１０−１６４号公報（以下、「刊行物１」という。）には、次の事項が図面とともに記載されている。 
　
（１−ａ）「【発明が解決しようとする課題】
【０００９】
　しかしながら、特許文献１に記載されている遊技機によれば、制御回路に接続される電線の本数を減らすことができるものの、制御回路と中継基板との間の距離が長くなると、電線間の容量により通信の伝送速度を低く抑えなければならなくなったり、耐ノイズ性を向上させるために、通信に使用する信号線の電圧を上げたり、電流を多く流すなどの工夫が別途必要となる。
【００１０】
　また、遊技者が遊技中にパチスロやパチンコの遊技機に対して電波を照射したり放電させたりすることにより、遊技機内において誤動作を誘発させたり、予め細工を加えた遊技機において不正なプログラムを起動させるなどの、不正なゴト行為を行う場合がある。制御回路と中継基板との間を
長い電線で接続すると
制御回路が誤動作しやすくなったり、不正なプログラムが起動しやすくなるなどの不具合を生ずる
【００１１】
　また、ゴト行為に限らず、遊技者の衣類等に静電気が帯電しており、遊技者が遊技機に触れた瞬間に静電気が遊技機に放電した場合や、遊技者が携行する携帯電話機が発する電磁波により、制御回路及び中継基板との間を接続する電線に電流が流れ、制御回路において誤動作を誘発する可能性もある。したがって、通信によりコマンド及びステータスを伝達する際には、ノイズ等による影響を減少させるために、フレームエラーやタイムアウトエラー、パリティエラー、符号検査エラーなどを監視して対処する必要がある。
・・・
【００１５】
　本発明は、上記の課題に鑑みてなされたものであり、基板間の配線を減少させて筐体内における放熱効率を向上させ、電線の断線や接続不良等による故障の発生率を低下させ、遊技機のメンテナンスを容易にし、遊技機の製造コストを抑えるとともに、情報の転送レートを維持しつつ、外来ノイズによる制御回路の誤動作を減少させ、容易に実射試験に対応することが可能な遊技機を提供することを目的としている。」
（１−ｂ）「【発明の効果】
【００５２】
　本発明によれば、
マスタ通信装置と各入力手段、各出力手段、又は各周辺装置との間に光通信を挿入して情報の伝達を行うことが可能となる
（１−ｃ）「【００６８】
　
キャビネット２内部の上方には、主制御回路５５を構成する基板（以下、主基板）が設けられている。
　・・・
【００７１】
　
フロントドア９の裏側の上部には、副制御回路５６を構成する基板（以下、副基板）が設けられている。
　・・・
【００７３】
　パチスロ１の構造についての説明は以上である。次に、図３を参照して、本実施の形態におけるパチスロ１の、
フロントドアブロック（フロントドア９の裏側）
　・・・
【００７７】
　主制御回路５５の主基板は、電力を供給する電源装置５４、リール３の回転及び停止制御を行うリールモータ駆動回路３９、メダルの払い出し制御を行うメダル払出装置４３、ドア中継基板６２等の各中継基板と通信により接続されている。また、主制御回路５５の
主基板は、遊技場のホストコンピュータ等と情報の送受信を行う外部集中端子板６３と情報の送受信が可能なように接続されている
【００７８】
　更に
主制御回路５５は
副制御回路５６に対して、
各種の情報を送信する。
　
（１−ｄ）「【００８８】
　そこで本発明では、通信ケーブルとして電線を用いる代わりに
光通信用のケーブルを用いることで
主制御回路５５及び副制御回路５６における誤動作を防止している。
【００８９】
　図３に示すように、主制御回路５５に接続されているドア中継基板６２には、パチスロ１の操作部に配されている各種スイッチ等の配線が接続されている。ドア中継基板６２に接続されているメダルセンサ５０は、メダル投入口１５に受け入れられたメダルが前述のセレクタ５１内を通過したことを検出する。
【００９０】
　ドア中継基板６２に接続されているベットスイッチ１３Ｓは、ベットボタン１３が遊技者により操作されたことを検出する。また、スタートスイッチ６Ｓは、スタートレバー６が遊技者により操作されたことを検出する。
【００９１】
　また、ストップスイッチ４６は、３つのストップボタン７のそれぞれが遊技者により押されたことを検出する。これらの
スイッチ等の入力情報は、ドア中継基板６２から主制御回路５５の主基板に対して伝達される
（１−ｅ）「【０１０４】
　ランプ基板５８は、副制御回路５６から受信した指令に基づいて、主に図１に示すパチスロ１の前面上部の液晶表示装置５の側方に配されている多数のランプ２４の点消灯のパターンを切り替えることができる。副制御回路５６は、ランプ２４の点消灯に関する演出内容に応じたコマンドをランプ基板５８に送信する。ランプ基板５８が当該コマンドを受信すると、ランプ基板５８では多数配置されているランプ２４の点灯及び消灯を個々に制御して、点灯状態の移動、点灯状態の回転、ストロボ状の発光、その他の点消灯のパターンにてそれぞれのランプ２４を発光させる。
【０１０５】
　なお、上述のように副制御回路５６とランプ基板５８との間における情報の伝達に
光通信
副制御回路５６と液晶表示装置５との間、副制御回路５６とサウンド基板１１０との間、副制御回路５６と下皿ＬＥＤ基板６１との間、副制御回路５６と主制御回路５５との間、主制御回路５５とドア中継基板６２との間等の通信にも、光通信を用いることができる
　・・・
【０１０７】
　図４は、
主制御回路５５
マスタ基板６４側に該当する
【０１０８】
　主制御回路５５におけるメインＣＰＵ３１のバスには、各入力手段、各出力手段、及び各周辺装置との間で各種情報の入出力を行うマスタ通信装置６７が接続されている。ここで、主制御回路５５及びマスタ通信装置６７が配置されている基板を、通信におけるマスタ基板６４と呼ぶことにする。
【０１０９】
　マスタ通信装置６７が出力したコマンド及びステータスを含む光信号は、第１のスレーブ基板６５に配されている第１のスレーブ通信装置６８が入力する。図４に示す第１の
スレーブ通信装置６８
ドア中継基板６２
（１−ｆ）「【０１２７】
　従来は、主制御回路５５と副制御回路５６との間を、一方向の情報伝達のみを許容する通信手段を用いて通信接続していたので、フレームエラー、タイムアウトエラー、符号検査時のエラー等に対処することができず、当該通信の情報伝達経路で拾ったノイズにより誤動作する可能性が高かった。また、
従来は、通信の情報伝達経路を電線で構成していたので、不正なゴト行為により照射された電波や放電を情報伝達経路の電線が受信して、主制御回路５５又は副制御回路５６の動作に影響を与えるという不具合を生じていた。
本発明によれば、主制御回路５５と副制御回路５６との間の情報伝達経路に光通信を用いることで、不正なゴト行為により照射された電波や放電に対する影響を大幅に減少させることができる
（１−ｇ）「【０１３８】
　次に、図５を用いてマスタ通信装置６７及びスレーブ通信装置６８の構成について説明する。図５は、マスタ通信装置６７及びスレーブ通信装置６８のブロック図である。なお、図５では説明を容易にするために、１枚のマスタ基板６４に対して１枚のスレーブ基板６５のみを接続している状態について説明している。
【０１３９】
　図５に示すように、マスタ基板６４に配されているマスタ通信装置６７には、上位のメインＣＰＵ３１からコマンド及びステータスを含む発信情報を取得するとともに、スレーブ通信装置６８又は治具基板６６から受信したコマンド及びステータスを含む応答情報を出力するバスＩ／Ｆが配されている。
【０１４０】
　また、バスＩ／Ｆには、コマンド及びステータスを含む発信情報を取得して、当該コマンド又はステータスの符号検査情報を付加するＣＲＣチェッカ７９（第１の符号検査情報付加手段）と、コマンド若しくはステータス並びに符号検査情報を含む発信情報を電気発信信号に変換して出力する発信信号変換手段７２と、応答信号復元手段７６とが接続されている。また
マスタ通信装置６７には、発信信号変換手段７２が出力した電気発信信号を光発信信号に変換して出力する光信号出力手段ＰＤ１
【０１４１】
　他方、
スレーブ基板６５には、マスタ通信装置６７側から出力された光発信信号を入力して電気発信信号に変換して出力する光信号入力手段ＰＤ３
　・・・
【０１４７】
　スレーブ通信装置６８から出力された光応答信号は、
マスタ通信装置６７の光信号入力手段ＰＤ３（第１の光信号入力手段）が入力して、電気応答信号に変換して出力する
（１−ｈ）段落【００６８】、【００７１】には、主制御回路５５を構成する基板は
主基板
副基板
（１−ｉ）段落【００７３】の記載から、フロントドアブロックは、フロントドアの裏側に設けられているといえるとともに、図３にはフロントドアブロックにドア中継基板６２、ベットスイッチ１３Ｓ、ストップスイッチ４６、スタートスイッチ６Ｓ（以下、これらを「スイッチ等」という。）が設けられている点が図示されているから、
スイッチ等の入力情報を主基板に伝達するドア中継基板６２はフロントドア９に設けられている
（１−ｊ）前記（１−ｈ）の記載を考慮すると、段落【０１０５】の記載から、
主基板と副基板との間、主基板とドア中継基板６２との間は、光通信を用いている
副基板とドア中継基板との間は光通信を用いている
（１−ｋ）段落【０１０８】、【０１０９】、【０１４０】、【０１４１】の記載を参酌すると、図４、５には、
ドア中継基板６２におけるスレーブ通信装置６８は、主基板におけるマスタ通信装置６７側から出力された光発信信号を電気発信信号に変換して出力する光信号入力手段ＰＤ３と、電気発信信号を光発信信号に変換して出力する光信号出力手段ＰＤ１とを有する
　よって、以上の事項を総合すると、刊行物１には、次の発明（以下「刊行物１発明」という。）が記載されていると認められる。 
「遊技機のキャビネット２内部の上方に設けられた主基板と、主基板と情報の送受信が可能なように接続され、遊技場のホストコンピュータ等と情報の送受信を行う外部集中端子基板６３と、フロントドア９の裏側の上部に設けられ主基板から各種の情報が送信される副基板と、フロントドア９に設けられスイッチ等の入力情報を主基板に伝達するドア中継基板６２と、を備えた遊技機において、
　主基板と副基板との間、副基板とドア中継基板６２との間、主基板とドア中継基板６２との間等の通信に光通信を用い、
　ドア中継基板６２におけるスレーブ通信装置６８は、主基板におけるマスタ通信装置６７側から出力された光発信信号を電気発信信号に変換して出力する光信号入力手段ＰＤ３と、電気発信信号を光発信信号に変換して出力する光信号出力手段ＰＤ１とを有する遊技機。」
４　対比 
　本願発明と刊行物１発明とを対比する。
　
（１）刊行物１発明の「遊技機のキャビネット２内部の上方に設けられた主基板」は、前記（１−ｃ）によれば主制御回路を構成するから、本願発明の「遊技機の筐体に設けられた主制御回路基板」に相当し、以下同様に、「フロントドア９の裏側の上部に設けられ主基板から各種の情報が送信される副基板」は、前記（１−ｃ）によれば副制御回路を構成するから、「遊技機の前面扉に設けられ主制御回路基板からの信号が入力される副制御回路基板」に、「フロントドア９に設けられスイッチ等の入力情報を主基板に伝達するドア中継基板６２」は「前面扉に設けられ各種信号を前記主制御回路基板に送信するドア中継基板」に、それぞれ、相当する。
　また、刊行物１発明の「外部集中端子基板６３」と本願発明の「外部集中端子板」は、いずれも、主制御回路基板（主基板）、及びホールコンピュータに接続されるものであるから、刊行物１発明の「主基板と情報の送受信が可能なように接続され、遊技場のホストコンピュータ等と情報の送受信を行う外部集中端子基板６３」は、本願発明の「筐体に設けられ主制御回路基板からの信号が入力されるとともに必要な情報を遊技場のホールコンピュータに送信する外部集中端子板」に相当する。
（２）刊行物１発明において、基板との間に「光通信を用いる」ことは、光ファイバーで接続することを意味することは技術常識であるから、刊行物１発明の「主基板と副基板との間、副基板とドア中継基板６２との間、主基板とドア中継基板６２との間等の通信に光通信を用い」る点、と本願発明の「主制御回路基板と副制御回路基板との間、主制御回路基板と外部集中端子板との間、副制御回路基板とドア中継基板との間、主制御回路基板とドア中継基板の間、及び外部集中端子板とホールコンピュータとの間のいずれもを光ファイバーケーブルで接続」する点は、「主制御回路基板と副制御回路基板との間、副制御回路基板とドア中継基板との間、主制御回路基板とドア中継基板の間を光ファイバーケーブルで接続」する点で共通する。
　なお、本願発明の「副制御回路基板とドア中継基板との間」を直接光ファイバーで接続することは、明細書又は図面には記載されていないが、主制御回路５５を介して間接的に接続されていることは明らかであるので、光ファイバーで接続すると解釈した。前記（１−ｊ）で述べたとおり、刊行物１発明も同様である
（３）刊行物１発明の「光発信信号」、「電気発信信号」は、それぞれ、本願発明の「光信号」、「電気信号」に相当するから、刊行物１発明の「光発信信号を電気発信信号に変換して出力する光信号入力手段ＰＤ３」は、本願発明の「光信号入力端子を介して入力された光信号を電気信号に変換する光・電気信号変換器」に相当する。
　また、刊行物１発明の「ドア中継基板６２」は制御信号を中継するものであるから、ドア中継基板６２におけるスレーブ通信装置６８において、光信号出力手段ＰＤ１で変換する「電気発信信号」は光信号入力手段ＰＤ３で光発信信号から変換された電気発信信号を含むことは自明な事項である。
　よって、刊行物１発明の「ドア中継基板６２におけるスレーブ通信装置６８は、主基板におけるマスタ通信装置６７側から出力された光発信信号を電気発信信号に変換して出力する光信号入力手段ＰＤ３と、電気発信信号を光発信信号に変換して出力する光信号出力手段ＰＤ１とを有する」点と、本願発明の「外部集中端子板は、主制御回路基板から出力された光信号を外部集中端子板に入力するための光信号入力端子と、光信号入力端子を介して入力された光信号を電気信号に変換する光・電気信号変換器と、光・電気信号変換器によって変換された電気信号を光信号に変換する電気・光信号変換器と、電気・光信号変換器によって変換された光信号を外部集中端子板からホールコンピュータに出力するための光信号出力端子とを備えた」点とは、主制御回路基板に接続された電子部品は、「光信号入力端子を介して入力された光信号を電気信号に変換する光・電気信号変換器と、光・電気信号変換器によって変換された電気信号を光信号に変換する電気・光信号変換器とを備えた」点で共通する。
（４）したがって、本願発明と刊行物１発明とは、
「遊技機の筐体に設けられた主制御回路基板と、前記筐体に設けられ前記主制御回路基板からの信号が入力されるとともに必要な情報を遊技場のホールコンピュータに送信する外部集中端子板と、遊技機の前面扉に設けられ前記主制御回路基板からの信号が入力される副制御回路基板と、前記前面扉に設けられ各種信号を前記主制御回路基板に送信するドア中継基板と、を備えた遊技機において、
　前記主制御回路基板と前記副制御回路基板との間、前記副制御回路基板と前記ドア中継基板との間、前記主制御回路基板と前記ドア中継基板の間を光ファイバーケーブルで接続し、
　前記主制御回路基板に接続された電子部品は、前記光信号入力端子を介して入力された光信号を電気信号に変換する光・電気信号変換器と、前記光・電気信号変換器によって変換された電気信号を光信号に変換する電気・光信号変換器とを備えた遊技機。」
という点で一致し、以下の点で相違する。
　
［相違点１］ 
　本願発明は「主制御回路基板と副制御回路基板との間、主制御回路基板と外部集中端子板との間、副制御回路基板とドア中継基板との間、主制御回路基板とドア中継基板の間、及び外部集中端子板とホールコンピュータとの間のいずれもを光ファイバーケーブルで接続」するのに対して、刊行物１発明は、主制御回路基板と副制御回路基板との間、副制御回路基板とドア中継基板との間、主制御回路基板とドア中継基板の間を光ファイバーケーブルで接続しているが、主制御回路基板と外部集中端子板との間、外部集中端子板とホールコンピュータとの間を光ファイバーケーブルで接続する点について明示されていない点。
［相違点２］ 
　本願発明は、外部集中端子板に関して、「主制御回路基板から出力された光信号を外部集中端子板に入力するための光信号入力端子と、光信号入力端子を介して入力された光信号を電気信号に変換する光・電気信号変換器と、光・電気信号変換器によって変換された電気信号を光信号に変換する電気・光信号変換器と、電気・光信号変換器によって変換された光信号を外部集中端子板からホールコンピュータに出力するための光信号出力端子とを備え」るのに対し、刊行物１発明は、ドア中継基板には、光・電気信号変換器及び電気・光信号変換器を有するものの、外部集中端子板については、そのように特定されていない点。
　
５　当審の判断 
（１）上記相違点１について検討する。
　刊行物１の段落【００１０】、【０１２７】には、課題として、従来は、通信の伝達経路を電線で構成していたので、不正なゴト行為等により発生する電波を情報伝達経路の電線が受信して制御回路に誤動作を発生させることが記載されている。
　そして、刊行物１発明は、「主基板と情報の送受信が可能なように接続されるとともに遊技場のホストコンピュータ等と情報の送受信を行う外部集中端子基板６３」を備えており、これらの情報の送受信は通常は電線を用いて行うものであるから、主基板と外部集中端子基板６３との間、及び遊技場のホストコンピュータ等と外部集中端子基板６３との間の情報伝達経路においても同様の課題を内在しているといえる。
　また、刊行物１発明は「主基板と副基板との間、副基板とドア中継基板６２との間、主基板とドア中継基板６２との間
等
　
　一方、遊技機の技術分野において、外部集中端子板とホールコンピュータとの間を光ファイバーケーブルで接続する点は、本願出願前において周知の技術であるから（例えば、特開２００９−２８５４１８号公報の請求項４、段落【００３５】、特開２００９−１７９５６号公報の段落【００３０】、【００３１】参照。）。
　よって、刊行物１発明に上記周知の技術を適用し、外部集中端子板とホールコンピュータとの間を光ファイバーで接続することは当業者が適宜なし得ることである。
　
　そして、刊行物１発明に内在する上記課題及び示唆を踏まえ、上記周知の技術も考慮すれば、刊行物１発明において主制御回路基板と副制御回路基板との間、副制御回路基板とドア中継基板との間、主制御回路基板とドア中継基板の間に加え、主制御回路基板と外部集中端子板との間、外部集中端子板とホールコンピュータとの間のいずれもを光ファイバーで接続するように構成すること、すなわち、上記相違点１に係る本願発明の構成とすることは当業者が容易になし得たことである。
（２）上記相違点２について検討する。
　外部集中端子板とホールコンピュータとの間を光ファイバーケーブルで接続する点が、本願出願前において周知の技術であることは、上記（１）で検討したとおりであり、このことを前提に更に検討する。
　刊行物１発明は、ドア中継基板６２におけるスレーブ通信装置６８が、主基板におけるマスタ通信装置６７側から出力された光発信信号を電気発信信号に変換して出力する光信号入力手段ＰＤ３と、電気発信信号を光発信信号に変換して出力する光信号出力手段ＰＤ１とを有するものである。
　ここで、光ファイバーケーブルで接続された電子部品において、電子部品を電気的に動作するためには、光信号と電気信号とを相互に変換する必要があることは明らかである。また、光通信で接続された制御基板等の電子部品に光信号入力端子及び光信号出力端子を設けることは自明な事項である。
　よって、刊行物１発明の外部集中基板に上記周知の技術を適用する際に、外部集中基板に上記スレーブ通信装置６８が有している光信号入力端子、光・電気信号変換器、電気・光信号変換器、光信号出力端子を備えるように構成し、上記相違点２に係る本願発明の構成とすることは当業者が容易になし得たことである。
（３）請求人は、審判請求書において、「本願請求項１の発明に係る遊技機は、その請求項１に記載のとおりのものであるが、特に、「前記外部集中端子板は、前記主制御回路基板から出力された光信号を前記外部集中端子板に入力するための光信号入力端子と、前記光信号入力端子を介して入力された光信号を電気信号に変換する光・電気信号変換器と、前記光・電気信号変換器によって変換された電気信号を光信号に変換する電気・光信号変換器と、前記電気・光信号変換器によって変換された光信号を前記外部集中端子板から前記ホールコンピュータに出力するための光信号出力端子とを備えた」ことを特徴とする。 
　本願請求項１の発明は、この特徴とする構成により、当初明細書記載の顕著な作用効果を奏するとともに（［００１７］〜［００１９］、［００７０］〜［００７２］）、電気信号処理を行う既存の外部集中端子板に光・電気信号変換器を付設するだけで、既存の外部集中端子板を有効活用することができるという顕著な作用効果を奏するものである。 
　すなわち、通常の遊技機に備え付けられる外部集中端子板は一般に遊技機内部とホールコンピュータとの間で電気信号の送受信処理を行うものであるが、本願請求項１の発明では、既存の外部集中端子板に単に光・電気信号変換器を追加するだけで、光通信を行うことが可能となり、これによりコストの削減、既存の機器の有効活用を図ることができる。」（審判請求書第５頁第２７行〜第６頁１５行参照）と主張する。
　確かに、その点においては審判請求人の指摘のとおりである。
　しかしながら、上記５（２）で検討したとおり、刊行物１発明は、ドア中継基板６２におけるスレーブ通信装置６８が、主基板におけるマスタ通信装置６７側から出力された光発信信号を電気発信信号に変換して出力する光信号入力手段ＰＤ３と、電気発信信号を光発信信号に変換して出力する光信号出力手段ＰＤ１とを有するものであり、刊行物１発明の外部集中基板に、外部集中基板に上記スレーブ通信装置６８が有している光信号入力端子、光・電気信号変換器、電気・光信号変換器、光信号出力端子を備えるように構成することは当業者が容易になし得たことである。
　そして、既存の外部集中端子板に光・電気信号変換器を付設するだけで、既存の外部集中端子板を有効活用することができるという効果については、既存の電子部品に光・電気信号変換器を付設するか、光・電気信号変換機能付きの電子部品とするかは、当業者が遊技機を製造する際に適宜選択できるものであるから、格別なものとはいえない。
　
　よって、請求人の主張は採用できない。
（４）本願発明が奏する効果について
　上記相違点１、２によって本願発明が奏する効果は、当業者が刊行物１発明、及び周知の技術から予測し得る程度のものであって、格別のものではない。
　
６　むすび 
　以上のとおりであるから、本願発明は、刊行物１発明、及び周知の技術に基づいて当業者が容易に発明をすることができたものであり、特許法第２９条第２項の規定により特許を受けることができない。 
　したがって、その余の請求項に係る発明において検討するまでもなく、本願は、拒絶されるべきものである。 
　よって、結論のとおり審決する。